(57)【要約】      （修正有）【課題】頸部の付けないアロマディフューザー瓶の瓶体が既存のアロマディフューザーヘッドアセンブリ等の付属構造に、堅固かつ安定的に接続される固定アセンブリ及びアロマディフューザー装置を提供する。【解決手段】アロマディフューザーヘッド固定アセンブリ２０は、頸部の付けない瓶体１０との接続のために用いられ、瓶体は、収納空間と、収納空間を外部環境に連通する瓶口とを有し、固定アセンブリは、頂部固定部材と中部固定部材と底部固定部材とを備え、頂部固定部材は、貫通孔を有し、一部が瓶口内に収納され、底部固定部材は、収納空間内に収納され、且つ、底部固定部材の頂端が、頂部固定部材に接続されると共に中部固定部材に当接され、中部固定部材は、頂部固定部材と底部固定部材との間に設けられる。【選択図】図１Ａ
0003226920.tif 000002
【実用新案登録請求の範囲】
【請求項１】
アロマディフューザーヘッド固定アセンブリ（２０）において、前記アロマディフューザーヘッド固定アセンブリ（２０）は、頸部の付けない瓶体（１０）との固定接続のために用いられ、前記頸部の付けない瓶体（１０）は、収納空間と、前記収納空間を外部環境に連通するための瓶口（１２）とを有し、前記アロマディフューザーヘッド固定アセンブリ（２０）は、頂部固定部材（２１）と中部固定部材（２２）と底部固定部材（２３）とを備えており、前記頂部固定部材（２１）は、貫通孔（２１５）を有し、且つ一部が前記瓶口（１２）内に収納され、前記底部固定部材（２３）は、前記収納空間に収納され、且つ、前記底部固定部材（２３）の頂端が、前記頂部固定部材（２１）に接続されると共に前記中部固定部材（２２）に当接され、前記中部固定部材（２２）は、前記頂部固定部材（２１）と前記底部固定部材（２３）との間に設けられ、且つ前記瓶口（１２）に当接されるように設けられている、ことを特徴とするアロマディフューザーヘッド固定アセンブリ（２０）。
【請求項２】
前記頂部固定部材（２１）は、位置制限ボス（２１２）を有し、前記位置制限ボス（２１２）は、これに合わせたジグにより前記頂部固定部材（２１）に対して位置制限を行うために用いられ、前記底部固定部材（２３）は、貫通のスルーホールを有し、且つ、前記スルーホール内には、位置制限構造が備えられており、前記位置制限構造に合わせたジグは、前記貫通孔（２１５）及び前記スルーホールを貫通して、前記位置制限構造と係合し底部固定部材（２３）を頂部固定部材（２１）に締め付けることが可能であり、それと同時に、前記底部固定部材（２３）は、前記中部固定部材（２２）を押し開けて前記瓶口（１２）に当接させることを特徴とする請求項１に記載のアロマディフューザーヘッド固定アセンブリ（２０）。
【請求項３】
前記位置制限ボス（２１２）は、互いに対向して設置された位置制限部（２１２３）を複数組有し、前記互いに対向して設置された位置制限部（２１２３）に合わせたジグにより、前記位置制限ボス（２１２）の軸周りの回動が制限されることを特徴とする請求項２に記載のアロマディフューザーヘッド固定アセンブリ（２０）。
【請求項４】
前記頂部固定部材（２１）は、底部ボス（２１１）を備えており、前記底部ボス（２１１）は、底部ボス側壁（２１１１）と底部ボス上部平面（２１１２）とを備えており、前記底部ボス上部平面（２１１２）は、前記底部ボス側壁（２１１１）に接続されており、前記位置制限ボス（２１２）は、前記底部ボス（２１１）の表面に設けられることを特徴とする請求項２に記載のアロマディフューザーヘッド固定アセンブリ（２０）。
【請求項５】
前記中部固定部材（２２）は、本体部（２２１）と係合片（２２４）とを備えており、前記本体部（２２１）の中央部には、その軸方向に沿って設置されたスルーホールが備えられており、前記係合片（２２４）が複数あり、前記複数の係合片（２２４）は、前記本体部（２２１）の底面におけるスルーホールの縁辺に均一に分布され且つ前記スルーホールの縁辺に接続されており、且つ、前記複数の係合片（２２４）の自由端の内面には、その軸方向に沿って設置されたスナップフィット構造が設けられていることを特徴とする請求項２に記載のアロマディフューザーヘッド固定アセンブリ（２０）。
【請求項６】
頂部密封リング（２２２）と底部密封リング（２２３）とをさらに備えており、前記本体部（２２１）の頂面と底面には、前記スルーホールのまわりに設置された頂面溝（２２１２）と底面溝（２２１３）がそれぞれ設けられており、前記頂部密封リング（２２２）と底部密封リング（２２３）は、前記本体部（２２１）の頂面溝（２２１２）と底面溝（２２１３）の溝内にそれぞれ設置されていることを特徴とする請求項５に記載のアロマディフューザーヘッド固定アセンブリ（２０）。
【請求項７】
前記頂部固定部材（２１）は、底部接続管（２１４）を備えており、前記底部接続管（２１４）は、前記本体部のスルーホールを貫通し、且つ前記底部接続管（２１４）の底端と前記底部固定部材（２３）の頂端とがネジ接続されることを特徴とする請求項５に記載のアロマディフューザーヘッド固定アセンブリ（２０）。
【請求項８】
前記底部固定部材（２３）の頂端には、&#20542;斜面構造が設けられており、前記&#20542;斜面構造には、その軸方向に沿って設置されたスナップフィット構造が設けられており、前記&#20542;斜面構造におけるスナップフィット構造は、前記係合片（２２４）のスナップフィット構造に合わせて設けられており、前記&#20542;斜面構造は、前記複数の係合片（２２４）を押し開けて、前記瓶口（１２）に堅固に当接させるために用いられることを特徴とする請求項５に記載のアロマディフューザーヘッド固定アセンブリ（２０）。
【請求項９】
アロマディフューザー装置において、頸部の付けない瓶体（１０）と、アロマディフューザーヘッド固定アセンブリ（２０）と、バーナーヘッドアセンブリ（３０）と、バーナーヘッド蓋（４０）と、保護カバー（５０）とを備えており、前記バーナーヘッドアセンブリ（３０）は、一部が前記貫通孔（２１５）の上部に配置され、一部が前記収納空間内に延伸しており、前記バーナーヘッド蓋（４０）は、前記バーナーヘッドアセンブリ（３０）上に覆設されるために用いられ、前記保護カバー（５０）は、透かし彫り構造であって且つ前記頸部の付けない瓶体（１０）の上部に覆設され、前記アロマディフューザーヘッド固定アセンブリ（２０）は、請求項１〜８の何れか一項に記載のアロマディフューザーヘッド固定アセンブリであることを特徴とするアロマディフューザー装置（１００）。
【請求項１０】
前記頸部の付けない瓶体は、瓶胴部平台（１１）と前記瓶胴部平台に設置された瓶口（１２）とを備えていることを特徴とする請求項９に記載のアロマディフューザー装置（１００）。
【考案の詳細な説明】
【技術分野】
【０００１】
本考案は、アロマディフューザー装置の技術分野に関し、特に頸部の付けないアロマディフューザー瓶に合わせたアロマディフューザーヘッド固定アセンブリ及び上記アロマディフューザーヘッド固定アセンブリを用いるアロマディフューザー装置に関する。
【背景技術】
【０００２】
アロマディフューザー装置は、アロマディフューザー瓶とアロマディフューザーヘッドアセンブリとを備え、アロマディフューザー瓶は、アロマディフューザー精油を盛り付けるために用いられ、精油瓶とも称する。中国実用新案であるＣＮ２０３５２５０３５Ｕに開示されたアロマディフューザー装置の主旨は、便利に精油を注ぎ入れ又は添えるようにアロマディフューザーヘッドアセンブリの構造を改善するが、伝統的なアロマディフューザー瓶と同じく、上記アロマディフューザー装置のアロマディフューザー瓶でも、例えば、ガラス材質からなる頸部付け容器を採用し、ガラス材質は、アロマディフューザーヘッドアセンブリを装着するための頸部構造を容易に形成するが、ガラス材質の全体の質感が悪く、顧客の使用体験が悪くなる。
【０００３】
深い手作り伝統と文化祕蘊を持つ瑠璃は、特別な質感及び優れた使用体験を有するが、瑠璃の成形プロセスでの制限によって、形成された頂部の開口の一端が、平面構造に磨かれる必要があるため、伝統的なアロマディフューザー瓶と類似の頸部構造を形成できず、アロマディフューザー瓶容器の密封やアロマディフューザーヘッドアセンブリの直接装着が不便なる。
【０００４】
つまり、瑠璃材質を採用すれば、頸部の付けないアロマディフューザー瓶しか製造できない。そのため、瑠璃材質を採用してアロマディフューザー瓶を製造する場合、便利にアロマディフューザーヘッドアセンブリを装着するように、接着方式を採用して特定の頸部構造をアロマディフューザー瓶の瓶体に接着することがきるが、精油材料の熱化状態での揮発特性およびその特定の化学成分によって、接着材料が硬化して密封に効力がなくなり易くなるため、最後に、接着された頸部構造は、アロマディフューザー装置の瓶体から徹底的にはげ落ちて使用できなくなる。従って、瑠璃材質を採用して製造された頸部の付けないアロマディフューザー瓶に対して、密封が有効で接続が堅固なアロマディフューザーヘッド固定アセンブリを設計することは、本技術分野での何年も前から早急に解決しなければならない技術的課題となる。
【考案の概要】
【考案が解決しようとする課題】
【０００５】
本考案の主な目的は、頸部の付けないアロマディフューザー瓶の瓶体が既存のアロマディフューザーヘッドアセンブリ等の付属構造に、堅固かつ安定的に接続されることができない技術的課題を解決することにある。
【課題を解決するための手段】
【０００６】
本考案の一つの技術案によれば、アロマディフューザーヘッド固定アセンブリを提供し、前記アロマディフューザーヘッド固定アセンブリは、頸部の付けない瓶体との固定接続ために用いられ、前記頸部の付けない瓶体は、収納空間と、前記収納空間を外部環境に連通するための瓶口とを有し、前記アロマディフューザーヘッド固定アセンブリは、頂部固定部材と中部固定部材と底部固定部材とを備えており、前記頂部固定部材は、貫通孔を有し、且つ一部が前記瓶口内に収納され、前記底部固定部材は、前記収納空間に収納され、且つ、前記底部固定部材の頂端が前記頂部固定部材に接続されると共に前記中部固定部材に当接され、前記中部固定部材は、前記頂部固定部材と前記底部固定部材との間に設けられ、且つ前記瓶口に当接されるように設けられる。
【０００７】
好ましくは、前記頂部固定部材は、位置制限ボスを有し、前記位置制限ボスは、これに合わせたジグにより前記頂部固定部材に対して位置制限を行うために用いられ、前記底部固定部材は、貫通のスルーホールを有し、且つ、前記スルーホール内には、位置制限構造が備えられており、前記位置制限構造に合わせたジグは、前記貫通孔及び前記スルーホールを貫通して、前記位置制限構造と係合し底部固定部材を頂部固定部材に締め付けることが可能であり、それと同時に、前記底部固定部材は、前記中部固定部材を押し開けて前記瓶口に当接させる。
好ましくは、前記位置制限ボスは、互いに対向して設置された位置制限部を複数組有し、互いに対向して設置された位置制限部に合わせたジグにより、前記位置制限ボスの軸周りの回動が制限される。
【０００８】
好ましくは、前記頂部固定部材は、底部ボスを備えており、前記底部ボスは、底部ボス側壁と底部ボス上部平面とを備えており、前記底部ボス上部平面は、前記底部ボス側壁に接続されており、前記位置制限ボスは、前記底部ボスの表面に設けられる。
【０００９】
好ましくは、前記中部固定部材は、本体部と係合片とを備えており、前記本体部の中央部には、その軸方向に沿って設置されたスルーホールが備えられており、前記係合片が複数あり、前記複数の係合片は、前記本体部の底面におけるスルーホールの縁辺に均一に分布され且つ前記スルーホールの縁辺に接続されており、且つ、前記複数の係合片の自由端の内面には、その軸方向に沿って設置されたスナップフィット構造が設けられている。
【００１０】
好ましくは、頂部密封リングと底部密封リングとをさらに備えており、前記本体部の頂面と底面には、前記スルーホールのまわりに設置された頂面溝と底面溝がそれぞれ設けられており、前記頂部密封リングと底部密封リングは、前記本体部の頂面溝と底面溝の溝内にそれぞれ設置されている。
【００１１】
好ましくは、前記頂部固定部材は、底部接続管を備えており、前記底部接続管は、前記本体部のスルーホールを貫通し、且つ前記底部接続管の底端と前記底部固定部材の頂端とがネジ接続される。
【００１２】
好ましくは、前記底部固定部材の頂端には、&#20542;斜面構造が設けられており、前記&#20542;斜面構造には、その軸方向に沿って設置されたスナップフィット構造が設けられており、前記&#20542;斜面構造におけるスナップフィット構造は、前記係合片のスナップフィット構造に合わせて設けられており、前記&#20542;斜面構造は、前記複数の係合片を押し開けて、前記瓶口に堅固に当接させるために用いられる。
【００１３】
本発明のもう一つの技術案によれば、アロマディフューザー装置を提供し、このアロマディフューザー装置は、頸部の付けない瓶体とアロマディフューザーヘッド固定アセンブリとバーナーヘッドアセンブリとバーナーヘッド蓋と保護カバーとを備えており、前記バーナーヘッドアセンブリは、一部が前記貫通孔の上部に配置され、一部が前記収納空間内に延伸しており、前記バーナーヘッド蓋は、前記バーナーヘッドアセンブリ上に覆設されるために用いられ、前記保護カバーは、透かし彫り構造であって且つ前記頸部の付けない瓶体の上部に覆設され、前記アロマディフューザーヘッド固定アセンブリは、上記の何れか一つに記載のアロマディフューザーヘッド固定アセンブリである。
【００１４】
好ましくは、前記頸部の付けない瓶体は、瓶胴部平台と前記瓶胴部平台に設置された瓶口とを備えている。
【考案の効果】
【００１５】
本考案に提供されたアロマディフューザー装置の瓶体は、頸部の付けない瓶体であり、前記アロマディフューザーヘッド固定アセンブリは、前記瓶胴部に堅固に接続されることができ、且つ接続が緊密及び堅固で、構造が安定であるメリットを有する。
【図面の簡単な説明】
【００１６】
以下、本考案の実施例における技術案をより明瞭に説明するために、実施例の記述に必要な図面について簡単に解説し、明らかなことは、以下の記述における図面は、本考案の幾つかの実施例のみであり、当業者にとって、創造的な労働をしなくても、これらの図面に基づいてその他の図面を得ることができる。
【図１Ａ】図１Ａは、本発明に提供されたアロマディフューザー装置の立体視の分解構造模式図である。
【図１Ｂ】図１Ｂは、本発明に提供されたアロマディフューザー装置の平面&#35270;の分解構造模式図である。
【図２Ａ】図２Ａは、本発明に提供されたアロマディフューザー装置の組み立て状態での半断面図である。
【図２Ｂ】図２Ｂは、本発明に提供されたアロマディフューザー装置の組み立て状態での全断面図である。
【図３】図３は、本発明の実施例によるアロマディフューザー装置における頸部の付けない瓶体の構造模式図である。
【図４】図４は、本発明の実施例によるアロマディフューザー装置における頂部固定部材の構造模式図である。
【図５】図５は、図４に示すアロマディフューザー装置における頂部固定部材の他の&#35270;角の構造模式図である。
【図６】図６は、本発明の実施例によるアロマディフューザー装置における中部固定部材の構造模式図である。
【図７】図７は、図６に示す中部固定部材の一部構造模式図である。
【考案を実施するための形態】
【００１７】
以下、本考案の実施例の技術案について、明瞭、完全に説明し、もちろん、記述される実施例は、全ての実施例ではなく、本考案の一部の実施例のみである。本考案の実施例に基づいて、当業者によって、創造的な労働をせずに取得された他の実施例の全てが、本考案の保護範囲に属する。
【００１８】
図１Ａ、図１Ｂ、図２Ａおよび図２Ｂを同時に参照し、ここで、図１Ａと図１Ｂは、本考案の好ましい実施例によるアロマディフューザー装置の分解状態図であり、図２Ａと図２Ｂは、本考案の好ましい実施例によるアロマディフューザー装置の組み立て状態図である。図１Ａ及び図２Ａに示すように、上記アロマディフューザー装置１００は、概して、頸部の付けない瓶体１０と、アロマディフューザーヘッド固定アセンブリ２０と、バーナーヘッドアセンブリ３０と、バーナーヘッド蓋４０と、保護カバー５０とを備えている。また、図１Ｂ及び図２Ｂに示すように、上記アロマディフューザーヘッド固定アセンブリ２０は、更に、頂部固定部材２１と、中部固定部材２２と、底部固定部材２３とから構成され、バーナーヘッドアセンブリ３０は、更に、セラミックスバーナーヘッド３１と灯心３２とから構成される。ここで特に指摘する必要があるのは、図に示す頸部の付けない瓶体１０が、頸部構造を付けた伝統的なアロマディフューザー瓶と著しく異なることであり、相応に、本考案の他の改善点は、頸部の付けない瓶体１０に固定装着され且つこれに合わせて頸部構造を形成するアロマディフューザーヘッド固定アセンブリ２０である。以下、関連する図面に基づいて詳しく説明し、本考案と直接関係のない他の部件の構造の説明を省略する。
【００１９】
図３を更に参照すると、上記頸部の付けない瓶体１０の内部には、収納空間が備えられており、それは、アロマディフューザー用液体物質、例えば、アルコール、精油又は他の液体等を収納するために用いられる。本実施形態において、頸部の付けない瓶体１０は、瓶胴部平台１１と瓶胴部平台１１の中央部に設けられた瓶口１２とを備えており、上記瓶胴部平台１１は、上記頸部の付けない瓶体１０の頂部に設けられており、本実施形態において、上記瓶胴部平台１１は、平面構造であることが好ましい。もちろん、上記瓶胴部平台１１の構造は、実際の必要に応じて調整することができるが、有効な密封の目的から、上記瓶胴部平台１１は、アロマディフューザーヘッド固定アセンブリ２０を堅固かつ安定的に装着するように、少なくとも一部の領域を平面構造とする。
【００２０】
図３に示すように、上記瓶口１２は、上記瓶胴部平台１１に設けられ、より正確に言うと、上記瓶口１２は、上記瓶胴部平台１１の平面構造の中央部に設けられている。もちろん、他の実施形態において、上記瓶胴部平台１１における上記瓶口１２の位置は、実際の必要に応じて調整することができ、本発明は、これに対して限定しない。好ましくは、上記瓶口１２は、円形の瓶口である。上記瓶口１２は、上記頸部の付けない瓶体１０の収納空間と連通しており、つまり、上記瓶口１２は、上記収納空間を外部に連通することができる。
【００２１】
以下、図面を参照してアロマディフューザーヘッド固定アセンブリ２０の関連する細部を詳しく説明し、上記アロマディフューザーヘッド固定アセンブリ２０は、上記頸部の付けない瓶体１０に固定接続されると共に、アロマディフューザーヘッド固定アセンブリ２０上にバーナーヘッドアセンブリ３０とバーナーヘッド蓋４０と保護カバー５０とを搭載するように頸部の付けない瓶体１０の段階状の頸部構造を形成するために用いられる。具体的には、上記アロマディフューザーヘッド固定アセンブリ２０は、上記瓶口１２に固定設置され、利用者が上記頸部の付けない瓶体１０の内部にアロマディフューザー用液体を注入して保存又は利用を行うことを便利にすることができる。図２Ｂに示すように、組み立て状態において、上記中部固定部材２２は、頂部固定部材２１と底部固定部材２３との間に設けられ、且つ、上記底部固定部材２３と上記頂部固定部材２１とは、ネジ接続されている。以下、上記アロマディフューザーヘッド固定アセンブリ２０を構成する頂部固定部材２１、中部固定部材２２及び底部固定部材２３について、それぞれに説明する。
【００２２】
まず、図４と図５を同時に参照して頂部固定部材２１の構造細部を説明し、上記頂部固定部材２１は、保護カバー５０が搭載可能な底部ボス２１１と、位置制限ボス２１２と、バーナーヘッド蓋４０が搭載可能な頂部ボス２１３と、底部固定部材２３と接続するための底部接続管２１４とを備えており、また、上記頂部固定部材２１は、軸方向に沿って貫通する貫通孔２１５をさらに有する。本実施形態において、上記頂部固定部材２１は、機械加工により成形された一体構造であることが好ましく、上記頂部固定部材２１は、金属材質のアルミニウム製であることが好ましい。
【００２３】
更に、上記底部ボス２１１は、全体が蓋状となり、底部ボス側壁２１１１と底部ボス上部平面２１１２とを備えており、使用状態において、保護カバー５０は、底部ボス上部平面２１１２上に除去自在に配置され、組み立て状態において、上記底部ボス側壁２１１１は、取り外し不可能に瓶口１２の瓶胴部平台１１の平面構造に当接される。本実施形態において、上記底部ボス２１１は、円筒形の構造である。もちろん、他の実施形態において、上記底部ボス２１１は、他の形状の構造であってもよく、実際の必要に応じて調整することができ、本考案は、これに対して限定しない。
【００２４】
上記位置制限ボス２１２は、上記底部ボス上部平面２１１２の上面に段階状的に設けられ、且つ、上記底部ボス上部平面２１１２と連接される。好ましくは、上記位置制限ボス２１２と上記底部ボス２１１とは、同軸に設置される。本実施形態において、上記位置制限ボス２１２と上記底部ボス２１１とは、一体成形構造である。上記位置制限ボス２１２は、位置制限ボス側壁２１２１と位置制限ボス上部平面２１２２とを備えている。上記位置制限ボス２１２は、全体の外形が角柱形となり、上記位置制限ボス側壁２１２１は、頂部固定部材２１に対して位置制限を行うための複数の位置制限部２１２３を有する。好ましくは、上記位置制限部２１２３の個数が２個又は４個であり、上記複数の位置制限部２１２３は、互いに対称に設けられる。上記位置制限部２１２３により、利用者が上記頂部固定部材２１に対して位置制限を行うことを便利にすることができ、これによって上記アロマディフューザーヘッド固定アセンブリ２０と上記頸部の付けない瓶体１０との組み立てを便利にすることができる。具体的には、上記位置制限ボス２１２に対して位置制限を行う必要がある場合、合わせた係合ジグにより上記位置制限部２１２３に係止されることにより、上記位置制限ボス２１２の軸周りの回動が制限され、上記頂部固定部材２１の軸周りの回動が制限されることができる。
【００２５】
更に、上記頂部ボス２１３は、上記位置制限ボス上部平面２１２２上に段階状に設けられ、その全体の外形が円筒形であり、バーナーヘッド蓋４０を搭載するために用いられることができ、且つ、上記頂部ボス２１３と上記位置制限ボス２１２とは、一体成形構造である。なお、上記頂部ボス２１３と上記位置制限ボス２１２とは、同軸構造となるように設置される。
【００２６】
上記底部接続管２１４は、上記底部ボス上部平面２１１２の底面に設けられ、且つ、同様に上記底部ボス２１１と同軸に設置される。つまり、上記底部接続管２１４と上記底部ボス２１１とは同軸構造であり、上記位置制限ボス２１２と上記頂部ボス２１３とは同軸構造である。上記底部接続管２１４の外側にネジ構造が設けられている。
【００２７】
上記貫通孔２１５は、底部ボス２１１、位置制限ボス２１２、頂部ボス２１３及び底部接続管２１４を同時に貫通し、好ましくは、上記貫通孔２１５は、上記底部ボス２１１、上記位置制限ボス２１２、上記頂部ボス２１３及び上記底部接続管２１４のいずれとも同軸構造となるように設置される。
【００２８】
次に、図６と図７を参照して中部固定部材２２の構造細部を説明し、上記中部固定部材２２は、本体部２２１、頂部密封リング２２２、底部密封リング２２３及び複数の係合片２２４を備えており、ここで、複数の係合片２２４が本体部２２１の底部に位置しており、好ましくは、組み立て時に上記頂部固定部材２１の底部ボス２１１の底部における対応する２つの位置決め凹部との位置決めを実現するように、本体部２２１の頂部に２つの位置決めピンが設けられる。好ましくは、上記中部固定部材２２の本体部２２１及び複数の係合片２２４は、プラスチック材質である。
【００２９】
上記本体部２２１の中央部には、その軸方向に沿って設置されたスルーホール２２１１が備えられる。上記アロマディフューザー装置１００が組み立て状態にある場合、上記底部接続管２１４は、上記本体部２２１のスルーホール２２１１内に位置する。上記本体部２２１の頂部の表面には、上記スルーホール２２１１のまわりに設置された頂面溝２２１２が備えられており、上記頂面溝２２１２は、上記スルーホール２２１１の縁辺に接近して設けられる。また、上記本体部２２１の底部の表面には、上記スルーホール２２１１のまわりに設置された底面溝２２１３が備えられており、上記底面溝２２１３は、上記本体部２２１の底部の表面の縁辺に接近して設けられる。本実施形態において、上記本体部２２１と上記係合片２２４とは、一体成形構造である。
【００３０】
上記頂部密封リング２２２は、頂面溝２２１２内に設けられており、上記底部密封リング２２３は、底面溝２２１３内に設けられている。理解できるように、上記頂部密封リング２２２と上記底部密封リング２２３は、それぞれに上記頂面溝２２１２と上記底面溝２２１３に合わせて設置され、両者がアロマディフューザー装置１００の確実な密封を一緒に実現する。具体的には、上記アロマディフューザー装置１００が組み立て状態にある場合、頂面溝２２１２に設置された頂面密封リング２２２が上記頂部固定部材２１に当接し、上記底面溝２２１３内に設置された底面密封リング２２３が上記瓶胴部平台１１に当接することにより、上記頸部の付けない瓶体１０のスルーホールを密封して、上記頸部の付けない瓶体１０内の液体が上記スルーホールの縁辺から流れ出ることを防止する。好ましくは、上記頂部密封リング２２２と上記底部密封リング２２３は、ゴム材質である。
【００３１】
上記係合片２２４は、一端が上記本体部２２１の底部の表面に接続され、他端が自由端である。具体的に、上記係合片２２４は、上記スルーホール２２１１の縁辺に沿って設けられる。上記係合片２２４の個数は、複数個であり、上記複数の係合片２２４は、上記スルーホール２２１１の縁辺に沿って均一に分布される。上記複数の係合片２２４間に隙間を有する。上記複数の係合片２２４間の隙間によって、上記係合片２２４は大きい変形量を有することが可能となり、熱膨脹と冷収縮による変形に備えることができる。上記複数の係合片２２４によって囲まれた円筒体の直径が上記瓶口１２の直径よりやや小さくなることで、上記複数の係合片２２４の一部が上記瓶口１２内に収納されることができ、且つ、上記複数の係合片２２４の自由端が上記瓶口１２を通過して上記頸部の付けない瓶体１０の内部に延伸することができる。付け加えて言うなら、上記のように、複数の係合片２２４の外部は、囲まれた円筒体となるが、これに限らず、例えば、上記瓶口１２の内部は、不規則形（例えば、多角柱形状）を採用する場合、上記複数の係合片２２４の外部形状は、それに合わせた多角柱形状を採用してよい。
【００３２】
本実施形態において、上記係合片２２４の個数は、４個であり、上記４個の係合片２２４は、上記スルーホール２２１１の縁辺に沿って均一に分布され、本発明はこれに対して限定しない。理解できるように、他の実施形態において、上記係合片２２４は、他の個数であってもよく、本発明は、これに対して限定しない。また、上記係合片２２４の自由端には、その軸方向に沿って複数の鋸歯状のスナップフィット２２４１が設けられており、スナップフィット２２４１の機能について後述する。
【００３３】
最後、図１Ｂと図２Ｂを参照して、頂部固定部材２１及び中部固定部材２２のそれぞれと連接される底部固定部材２３について説明し、上記底部固定部材２３は、同様にその軸方向に沿って上記底部固定部材２３を貫通して設けられたスルーホール構造を有する。上記底部固定部材２３の頂端が上記頂部固定部材２０の底部接続管２１４の末端に接続される。理解できるように、上記底部固定部材２３のスルーホールの頂端の内部に雌ネジ構造が設けられ、且つ、上記底部接続管２１４の雄ネジ構造に合わせて設けられることにより、上記底部固定部材２３と上記頂部固定部材２１との間のネジ接続が実現されるようになる。また、上記底部固定部材２３の頂端の外部に&#20542;斜面構造がさらに設けられ、つまり、上記底部固定部材２３における上記底部接続管２１４と接続された一端の外縁には、&#20542;斜面構造が設けられ、且つ、同様に上記&#20542;斜面構造の表面にその軸方向に沿って複数の鋸歯状のスナップフィット構造が設けられ、これは、上記底部固定部材２３の頂端の外部に沿って均一に分布されている。上記&#20542;斜面構造の表面におけるスナップフィット構造は、上記係合片２２４のスナップフィット２２４１に合わせて設けられ、一緒に底部固定部材２３と、頂部固定部材２１及び中部固定部材２２との間の緩み防止機能を実現する。
【００３４】
さらに、上記底部固定部材２３のスルーホールの底端の内部は、多角形構造とすることにより、専用ジグに対する利用者の利用を便利にすることができ、上記底部固定部材２３のスルーホール内に挿入して上記底部固定部材２３の底端に合わせ、且つ、上記底部固定部材２３を回転させることにより、上記底部固定部材２３のスルーホールの内部のネジと上記頂部固定部材２１の底部接続管２１４の外部のネジとを接続させると共に、上記底部固定部材２３の頂端の外部のスナップフィット構造が上記係合片２２４の複数のスナップフィット２２４１と係合して接続し、上記底部固定部材２３を上記中部固定部材２２の係合片２２４にさらに当接させることで、緩み防止機能が実現される。好ましくは、上記底部固定部材２３が金属材質である。
【００３５】
本考案の実施例による頸部の付けない瓶体１０とアロマディフューザーヘッド固定アセンブリ２０との間の接続方式をより明瞭に理解するために、以下、両者の組み立て方法について全体的に説明する。
【００３６】
まず、上記アロマディフューザーヘッド固定アセンブリ２０を予め組み立てる。
中部固定部材２２の、本体部２２１、頂部密封リング２２２及び底部密封リング２２３を一緒に組み立て、かつ、組み立てられた中部固定部材２２を頂部固定部材２１及び底部固定部材２３と予め組み立て、この時、中部固定部材２２が上記頂部固定部材２１と底部固定部材２３との間に設置される。上記底部固定部材２３が上記頂部固定部材２１の底部接続管２１４とネジ接続される。理解できるように、この時、上記底部固定部材２３と上記底部接続管２１４とは、予備接続されており、つまり、両者は、最終の固定を行わず、ただネジにより予備接続される。
【００３７】
次に、アロマディフューザーヘッド固定アセンブリ２０を上記頸部の付けない瓶体１０の瓶口１２内に配置する。
【００３８】
この時、上記底部固定部材２３は、上記頸部の付けない瓶体１０の収納空間内に位置し、上記中部固定部材２２の係合片２２４は、上記瓶口１２を通過し、且つその自由端が上記収納空間内に位置する。
【００３９】
そして、アロマディフューザーヘッド固定アセンブリ２０の、上記頸部の付けない瓶体１０へのさらなる固定を行う。
【００４０】
上記アロマディフューザーヘッド固定アセンブリ２０と上記頸部の付けない瓶体１０とのさらなる固定を行う場合に、専用ジグにより上記頂部固定部材２１の位置制限ボス２１２に対して位置制限による固定を行い、同時に、他の専用ジグを上記貫通孔２１５から挿入し上記底部固定部材２３の多角形構造と合わせて係合し、これにより、当該ジグにより外部から上記底部固定部材２３を回転させることを便利にすることができる。上記底部固定部材２３を回転させる過程中において、上記底部固定部材２３が上記頂部固定部材２１の方向に向かって移動し、且つ、この時、上記底部固定部材２３の&#20542;斜面構造は、上記中部固定部材２２の係合片２２４に徐徐に当接し、且つ、上記係合片２２４を外側へ徐徐に押し出すようになる。つまり、この時、上記係合片２２４の自由端は、上記底部固定部材２３の回転の過程中に押し開けられ、即ち、その中心軸から離れた方向に沿って移動する。この時、上記係合片２２４の自由端が上記瓶口１２に堅固に当接されることにより、上記アロマディフューザーヘッド固定アセンブリ２０を上記頸部の付けない瓶体１０と堅固に接続させることができる。なお、上記底部固定部材２３の&#20542;斜面構造におけるスナップフィット構造は、上記係合片２２４の複数スナップフィット２２４１と係合することができ、上記底部固定部材２３の緩みを防止でき、これにより、上記アロマディフューザーヘッド固定アセンブリ２０を上記頸部の付けない瓶体１０と堅固かつ安定に接続させることができる。
【００４１】
付け加えて言うなら、上記バーナーヘッドアセンブリ３０は、セラミックスバーナーヘッド３１と灯心３２とを備えている。上記セラミックスバーナーヘッド３１は、上記灯心３２に接続される。上記セラミックスバーナーヘッド３１は、上記頂部ボス２１３の貫通孔２１５内に嵌合されることができる。上記セラミックスバーナーヘッド３１は、上記灯心３２に接続され、且つ、上記灯心３２から伝達された可燃液体を受けることができる。本発明において、上記セラミックスバーナーヘッド３１は、耐高温材料、例えば、セラミックス等である。上記灯心３２は、一端が上記セラミックスバーナーヘッド３１に接続され、他端が上記貫通孔２１５から上記頸部の付けない瓶体１０の収納空間内に延伸している。
【００４２】
上記バーナーヘッド蓋４０は、上記頂部ボス２１３に覆設されることができる。本実施形態において、上記バーナーヘッド蓋４０は、上記頂部ボス２１３に合わせて設けられ、上記頂部ボス２１３上にちょうど覆設されることができる。上記バーナーヘッド蓋４０は、火炎を覆って消し止めるために用いられることができ、同時に、上記収納空間内の液体の揮発が防止されるように、頸部の付けない瓶体１０内の液体に対して密封機能を発揮することができる。
【００４３】
上記保護カバー５０は、透かし彫り構造であり、上記頂部固定部材２１上に覆設されるために用いられ、且つ、その底面が上記底部ボス２１１に当接され、上記保護カバー５０は、利用者のやけどを防止することができる。上記保護カバー５０を上記頸部の付けない瓶体１０の瓶胴部平台１１上に直接搭載してもよいことが理解できる。
【００４４】
本考案に提供されたアロマディフューザー装置１００における頸部の付けない瓶体１０が頸部の付けない容器であり、上記アロマディフューザーヘッド固定アセンブリ２０が上記瓶胴部１０に堅固に接続されることができ、且つ、接続が緊密及び堅固で、構造が安定であるメリットを有する。他の種類又は他の用途の頸部の付けない瓶体のような瓶体に用いられるように、本考案におけるアロマディフューザーヘッド固定アセンブリ２０は、容易に変更することもでき、本考案は、これに対して限定しないことが理解できる。
【００４５】
以上の説明は、本考案の実施例のみであり、これによって本考案の特許請求の範囲が制限されなく、本考案の明細書の内容から作成された等価構造や等価プロセスの変更、あるいは、直接または間接的に他の関連する技術分野への運用は、いずれも、同じ理由ですべて本考案の特許の保護範囲に含まれる。
【符号の説明】
【００４６】
１００  アロマディフューザー装置、
１０  頸部の付けない瓶体、
１１  瓶胴部平台、
１２  瓶口、
２０  アロマディフューザーヘッド固定アセンブリ、
２１  頂部固定部材、
２２  中部固定部材、
２３  底部固定部材、
２２１  本体部、
２２２  頂部密封リング、
２２３  底部密封リング、
２２４  係合片、
３０  バーナーヘッドアセンブリ、
４０  バーナーヘッド蓋、
５０  保護カバー。
【図１Ａ】
0003226920.tif 000003
【図１Ｂ】
0003226920.tif 000004
【図２Ａ】
0003226920.tif 000005
【図２Ｂ】
0003226920.tif 000006
【図３】
0003226920.tif 000007
【図４】
0003226920.tif 000008
【図５】
0003226920.tif 000009
【図６】
0003226920.tif 000010
【図７】
0003226920.tif 000011
【手続補正書】
【提出日】令和1年9月27日(2019.9.27)
【手続補正１】
【補正対象書類名】実用新案登録請求の範囲
【補正対象項目名】全文
【補正方法】変更
【補正の内容】
【実用新案登録請求の範囲】
【請求項１】
アロマディフューザーヘッド固定アセンブリ（２０）において、前記アロマディフューザーヘッド固定アセンブリ（２０）は、頸部の付けない瓶体（１０）との固定接続のために用いられ、前記頸部の付けない瓶体（１０）は、収納空間と、前記収納空間を外部環境に連通するための瓶口（１２）とを有し、前記アロマディフューザーヘッド固定アセンブリ（２０）は、頂部固定部材（２１）と中部固定部材（２２）と底部固定部材（２３）とを備えており、前記頂部固定部材（２１）は、一部が前記瓶口（１２）内に収納され、前記底部固定部材（２３）は、前記収納空間に収納され、且つ、前記底部固定部材（２３）の頂端が、前記頂部固定部材（２１）に接続されると共に前記中部固定部材（２２）に当接され、前記中部固定部材（２２）は、前記頂部固定部材（２１）と前記底部固定部材（２３）との間に設けられ、且つ前記瓶口（１２）に当接されるように設けられている、ことを特徴とするアロマディフューザーヘッド固定アセンブリ（２０）。
【請求項２】
前記頂部固定部材（２１）は、貫通孔（２１５）及び位置制限ボス（２１２）を有し、前記位置制限ボス（２１２）は、これに合わせたジグにより前記頂部固定部材（２１）に対して位置制限を行うために用いられる、ことを特徴とする請求項１に記載のアロマディフューザーヘッド固定アセンブリ（２０）。
【請求項３】
前記底部固定部材（２３）は、貫通のスルーホールを有し、且つ、前記スルーホール内には、位置制限構造が備えられており、前記位置制限構造に合わせたジグは、前記貫通孔（２１５）及び前記スルーホールを貫通して、前記位置制限構造と係合し前記底部固定部材（２３）を前記頂部固定部材（２１）に締め付けることが可能であり、それと同時に、前記底部固定部材（２３）は、前記中部固定部材（２２）を押し開けてそれを前記瓶口（１２）に当接させることを特徴とする請求項２に記載のアロマディフューザーヘッド固定アセンブリ（２０）。
【請求項４】
前記位置制限ボス（２１２）は、互いに対向して設置された位置制限部（２１２３）を複数組有し、前記互いに対向して設置された位置制限部（２１２３）に合わせたジグにより、前記位置制限ボス（２１２）の軸周りの回動が制限されることを特徴とする請求項２に記載のアロマディフューザーヘッド固定アセンブリ（２０）。
【請求項５】
前記頂部固定部材（２１）は、底部ボス（２１１）を備えており、前記底部ボス（２１１）は、底部ボス側壁（２１１１）と底部ボス上部平面（２１１２）とを備えており、前記底部ボス上部平面（２１１２）は、前記底部ボス側壁（２１１１）に接続されており、前記位置制限ボス（２１２）は、前記底部ボス上部表面（２１１２）に設けられることを特徴とする請求項２に記載のアロマディフューザーヘッド固定アセンブリ（２０）。
【請求項６】
前記中部固定部材（２２）は、本体部（２２１）と複数の係合片（２２４）とを備えており、前記本体部（２２１）の中央部には、その軸方向に沿って設置された第２のスルーホール（２２１１）が備えられており、前記複数の係合片（２２４）は、前記本体部（２２１）の底面における第２のスルーホール（２２１１）の縁辺に均一に分布され且つ前記第２のスルーホール（２２１１）の縁辺に接続されており、且つ、前記複数の係合片（２２４）の自由端の内面には、その軸方向に沿って設置されたスナップフィット構造が設けられていることを特徴とする請求項３に記載のアロマディフューザーヘッド固定アセンブリ（２０）。
【請求項７】
組み立て時に前記頂部固定部材（２１）の底部における対応する位置決め凹部との位置決めを実現するように、前記本体部（２２１）の頂部には位置決めピンが設けられることを特徴とする請求項６に記載のアロマディフューザーヘッド固定アセンブリ（２０）。
【請求項８】
頂部密封リング（２２２）と底部密封リング（２２３）とをさらに備えており、前記本体部（２２１）の頂面と底面には、前記第２のスルーホール（２２１１）のまわりに設置された頂面溝（２２１２）と底面溝（２２１３）がそれぞれ設けられており、前記頂部密封リング（２２２）と底部密封リング（２２３）は、前記本体部（２２１）の頂面溝（２２１２）と底面溝（２２１３）の溝内にそれぞれ設置されていることを特徴とする請求項６に記載のアロマディフューザーヘッド固定アセンブリ（２０）。
【請求項９】
組み立て状態において、前記頂面密封リング（２２２）が前記頂部固定部材（２１）に当接し、且つ、前記底面密封リング（２２３）が前記頸部の付けない瓶体（１０）に当接することを特徴とする請求項８に記載のアロマディフューザーヘッド固定アセンブリ（２０）。
【請求項１０】
前記頂部固定部材（２１）は、底部接続管（２１４）を備えており、前記底部接続管（２１４）は、前記本体部の第２のスルーホール（２２１１）を貫通し、且つ前記底部接続管（２１４）の底端と前記底部固定部材（２３）の頂端とがネジ接続されることを特徴とする請求項６に記載のアロマディフューザーヘッド固定アセンブリ（２０）。
【請求項１１】
前記底部固定部材（２３）の頂端の外部には、&#20542;斜面構造が設けられており、前記&#20542;斜面構造には、その軸方向に沿って設置されたスナップフィット構造が設けられており、前記&#20542;斜面構造におけるスナップフィット構造は、前記係合片（２２４）のスナップフィット構造に合わせて設けられており、前記&#20542;斜面構造は、前記複数の係合片（２２４）を押し開けて、それを前記瓶口（１２）に堅固に当接させるために用いられることを特徴とする請求項５に記載のアロマディフューザーヘッド固定アセンブリ（２０）。
【請求項１２】
アロマディフューザー装置において、頸部の付けない瓶体（１０）と、アロマディフューザーヘッド固定アセンブリ（２０）と、バーナーヘッドアセンブリ（３０）と、バーナーヘッド蓋（４０）と、保護カバー（５０）とを備えており、前記バーナーヘッドアセンブリ（３０）は、一部が前記アロマディフューザーヘッド固定アセンブリ（２０）の頂部固定部材（２１）上に配置され、且つ一部が前記頸部の付けない瓶体（１０）の収納空間内に延伸しており、前記バーナーヘッド蓋（４０）は、前記バーナーヘッドアセンブリ（３０）上に覆設され、前記保護カバー（５０）は、前記頸部の付けない瓶体（１０）の上部に覆設され、且つ、前記アロマディフューザーヘッド固定アセンブリ（２０）は、請求項１〜１１の何れか一項に記載のアロマディフューザーヘッド固定アセンブリであることを特徴とするアロマディフューザー装置（１００）。
【請求項１３】
前記頸部の付けない瓶体（１０）は、瓶胴部平台（１１）と前記瓶胴部平台に設置された瓶口（１２）とを備えていることを特徴とする請求項１２に記載のアロマディフューザー装置（１００）。
【請求項１４】
前記アロマディフューザーヘッド固定アセンブリ（２０）を堅固かつ安定的に装着するように、前記瓶胴部平台（１１）は、少なくとも一部の領域が平面構造であることを特徴とする請求項１３に記載のアロマディフューザー装置（１００）。
【請求項１５】
前記保護カバー（５０）は、透かし彫り構造であり、且つ前記頸部の付けない瓶体（１０）は、瑠璃材質製である、ことを特徴とする請求項１２に記載のアロマディフューザー装置（１００）。
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
アロマディフューザーヘッド固定アセンブリ（２０）において、前記アロマディフューザーヘッド固定アセンブリ（２０）は、頸部の付けない瓶体（１０）との固定接続のために用いられ、前記頸部の付けない瓶体（１０）は、収納空間と、前記収納空間を外部環境に連通するための瓶口（１２）とを有し、前記アロマディフューザーヘッド固定アセンブリ（２０）は、頂部固定部材（２１）と中部固定部材（２２）と底部固定部材（２３）とを備えており、前記頂部固定部材（２１）は、一部が前記瓶口（１２）内に収納され、前記底部固定部材（２３）は、前記収納空間に収納され、且つ、前記底部固定部材（２３）の頂端が、前記頂部固定部材（２１）に接続されると共に前記中部固定部材（２２）に当接され、前記中部固定部材（２２）は、前記頂部固定部材（２１）と前記底部固定部材（２３）との間に設けられ、且つ前記瓶口（１２）に当接されるように設けられている、ことを特徴とするアロマディフューザーヘッド固定アセンブリ（２０）。
【請求項２】
前記頂部固定部材（２１）は、貫通孔（２１５）及び位置制限ボス（２１２）を有し、前記位置制限ボス（２１２）は、これに合わせたジグにより前記頂部固定部材（２１）に対して位置制限を行うために用いられる、ことを特徴とする請求項１に記載のアロマディフューザーヘッド固定アセンブリ（２０）。
【請求項３】
前記底部固定部材（２３）は、貫通のスルーホールを有し、且つ、前記スルーホール内には、位置制限構造が備えられており、前記位置制限構造に合わせたジグは、前記貫通孔（２１５）及び前記スルーホールを貫通して、前記位置制限構造と係合し前記底部固定部材（２３）を前記頂部固定部材（２１）に締め付けることが可能であり、それと同時に、前記底部固定部材（２３）は、前記中部固定部材（２２）を押し開けてそれを前記瓶口（１２）に当接させることを特徴とする請求項２に記載のアロマディフューザーヘッド固定アセンブリ（２０）。
【請求項４】
前記位置制限ボス（２１２）は、互いに対向して設置された位置制限部（２１２３）を複数組有し、前記互いに対向して設置された位置制限部（２１２３）に合わせたジグにより、前記位置制限ボス（２１２）の軸周りの回動が制限されることを特徴とする請求項２に記載のアロマディフューザーヘッド固定アセンブリ（２０）。
【請求項５】
前記頂部固定部材（２１）は、底部ボス（２１１）を備えており、前記底部ボス（２１１）は、底部ボス側壁（２１１１）と底部ボス上部平面（２１１２）とを備えており、前記底部ボス上部平面（２１１２）は、前記底部ボス側壁（２１１１）に接続されており、前記位置制限ボス（２１２）は、前記底部ボス上部表面（２１１２）に設けられることを特徴とする請求項２に記載のアロマディフューザーヘッド固定アセンブリ（２０）。
【請求項６】
前記中部固定部材（２２）は、本体部（２２１）と複数の係合片（２２４）とを備えており、前記本体部（２２１）の中央部には、その軸方向に沿って設置された第２のスルーホール（２２１１）が備えられており、前記複数の係合片（２２４）は、前記本体部（２２１）の底面における第２のスルーホール（２２１１）の縁辺に均一に分布され且つ前記第２のスルーホール（２２１１）の縁辺に接続されており、且つ、前記複数の係合片（２２４）の自由端の内面には、その軸方向に沿って設置されたスナップフィット構造が設けられていることを特徴とする請求項３に記載のアロマディフューザーヘッド固定アセンブリ（２０）。
【請求項７】
組み立て時に前記頂部固定部材（２１）の底部における対応する位置決め凹部との位置決めを実現するように、前記本体部（２２１）の頂部には位置決めピンが設けられることを特徴とする請求項６に記載のアロマディフューザーヘッド固定アセンブリ（２０）。
【請求項８】
頂部密封リング（２２２）と底部密封リング（２２３）とをさらに備えており、前記本体部（２２１）の頂面と底面には、前記第２のスルーホール（２２１１）のまわりに設置された頂面溝（２２１２）と底面溝（２２１３）がそれぞれ設けられており、前記頂部密封リング（２２２）と底部密封リング（２２３）は、前記本体部（２２１）の頂面溝（２２１２）と底面溝（２２１３）の溝内にそれぞれ設置されていることを特徴とする請求項６に記載のアロマディフューザーヘッド固定アセンブリ（２０）。
【請求項９】
組み立て状態において、前記頂面密封リング（２２２）が前記頂部固定部材（２１）に当接し、且つ、前記底面密封リング（２２３）が前記頸部の付けない瓶体（１０）に当接することを特徴とする請求項８に記載のアロマディフューザーヘッド固定アセンブリ（２０）。
【請求項１０】
前記頂部固定部材（２１）は、底部接続管（２１４）を備えており、前記底部接続管（２１４）は、前記本体部の第２のスルーホール（２２１１）を貫通し、且つ前記底部接続管（２１４）の底端と前記底部固定部材（２３）の頂端とがネジ接続されることを特徴とする請求項６に記載のアロマディフューザーヘッド固定アセンブリ（２０）。
【請求項１１】
前記底部固定部材（２３）の頂端の外部には、傾斜面構造が設けられており、前記傾斜面構造には、その軸方向に沿って設置されたスナップフィット構造が設けられており、前記傾斜面構造におけるスナップフィット構造は、前記係合片（２２４）のスナップフィット構造に合わせて設けられており、前記傾斜面構造は、前記複数の係合片（２２４）を押し開けて、それを前記瓶口（１２）に堅固に当接させるために用いられることを特徴とする請求項５に記載のアロマディフューザーヘッド固定アセンブリ（２０）。
【請求項１２】
アロマディフューザー装置において、頸部の付けない瓶体（１０）と、アロマディフューザーヘッド固定アセンブリ（２０）と、バーナーヘッドアセンブリ（３０）と、バーナーヘッド蓋（４０）と、保護カバー（５０）とを備えており、前記バーナーヘッドアセンブリ（３０）は、一部が前記アロマディフューザーヘッド固定アセンブリ（２０）の頂部固定部材（２１）上に配置され、且つ一部が前記頸部の付けない瓶体（１０）の収納空間内に延伸しており、前記バーナーヘッド蓋（４０）は、前記バーナーヘッドアセンブリ（３０）上に覆設され、前記保護カバー（５０）は、前記頸部の付けない瓶体（１０）の上部に覆設され、且つ、前記アロマディフューザーヘッド固定アセンブリ（２０）は、請求項１〜１１の何れか一項に記載のアロマディフューザーヘッド固定アセンブリであることを特徴とするアロマディフューザー装置（１００）。
【請求項１３】
前記頸部の付けない瓶体（１０）は、瓶胴部平台（１１）と前記瓶胴部平台に設置された瓶口（１２）とを備えていることを特徴とする請求項１２に記載のアロマディフューザー装置（１００）。
【請求項１４】
前記アロマディフューザーヘッド固定アセンブリ（２０）を堅固かつ安定的に装着するように、前記瓶胴部平台（１１）は、少なくとも一部の領域が平面構造であることを特徴とする請求項１３に記載のアロマディフューザー装置（１００）。
【請求項１５】
前記保護カバー（５０）は、透かし彫り構造であり、且つ前記頸部の付けない瓶体（１０）は、瑠璃材質製である、ことを特徴とする請求項１２に記載のアロマディフューザー装置（１００）。
【手続補正２】
【補正対象書類名】明細書
【補正対象項目名】００１２
【補正方法】変更
【補正の内容】
【００１２】
好ましくは、前記底部固定部材の頂端には、傾斜面構造が設けられており、前記傾斜面構造には、その軸方向に沿って設置されたスナップフィット構造が設けられており、前記傾斜面構造におけるスナップフィット構造は、前記係合片のスナップフィット構造に合わせて設けられており、前記傾斜面構造は、前記複数の係合片を押し開けて、前記瓶口に堅固に当接させるために用いられる。
【手続補正３】
【補正対象書類名】明細書
【補正対象項目名】００３３
【補正方法】変更
【補正の内容】
【００３３】
最後、図１Ｂと図２Ｂを参照して、頂部固定部材２１及び中部固定部材２２のそれぞれと連接される底部固定部材２３について説明し、上記底部固定部材２３は、同様にその軸方向に沿って上記底部固定部材２３を貫通して設けられたスルーホール構造を有する。上記底部固定部材２３の頂端が上記頂部固定部材２０の底部接続管２１４の末端に接続される。理解できるように、上記底部固定部材２３のスルーホールの頂端の内部に雌ネジ構造が設けられ、且つ、上記底部接続管２１４の雄ネジ構造に合わせて設けられることにより、上記底部固定部材２３と上記頂部固定部材２１との間のネジ接続が実現されるようになる。また、上記底部固定部材２３の頂端の外部に傾斜面構造がさらに設けられ、つまり、上記底部固定部材２３における上記底部接続管２１４と接続された一端の外縁には、傾斜面構造が設けられ、且つ、同様に上記傾斜面構造の表面にその軸方向に沿って複数の鋸歯状のスナップフィット構造が設けられ、これは、上記底部固定部材２３の頂端の外部に沿って均一に分布されている。上記傾斜面構造の表面におけるスナップフィット構造は、上記係合片２２４のスナップフィット２２４１に合わせて設けられ、一緒に底部固定部材２３と、頂部固定部材２１及び中部固定部材２２との間の緩み防止機能を実現する。
【手続補正４】
【補正対象書類名】明細書
【補正対象項目名】００４０
【補正方法】変更
【補正の内容】
【００４０】
上記アロマディフューザーヘッド固定アセンブリ２０と上記頸部の付けない瓶体１０とのさらなる固定を行う場合に、専用ジグにより上記頂部固定部材２１の位置制限ボス２１２に対して位置制限による固定を行い、同時に、他の専用ジグを上記貫通孔２１５から挿入し上記底部固定部材２３の多角形構造と合わせて係合し、これにより、当該ジグにより外部から上記底部固定部材２３を回転させることを便利にすることができる。上記底部固定部材２３を回転させる過程中において、上記底部固定部材２３が上記頂部固定部材２１の方向に向かって移動し、且つ、この時、上記底部固定部材２３の傾斜面構造は、上記中部固定部材２２の係合片２２４に徐徐に当接し、且つ、上記係合片２２４を外側へ徐徐に押し出すようになる。つまり、この時、上記係合片２２４の自由端は、上記底部固定部材２３の回転の過程中に押し開けられ、即ち、その中心軸から離れた方向に沿って移動する。この時、上記係合片２２４の自由端が上記瓶口１２に堅固に当接されることにより、上記アロマディフューザーヘッド固定アセンブリ２０を上記頸部の付けない瓶体１０と堅固に接続させることができる。なお、上記底部固定部材２３の傾斜面構造におけるスナップフィット構造は、上記係合片２２４の複数スナップフィット２２４１と係合することができ、上記底部固定部材２３の緩みを防止でき、これにより、上記アロマディフューザーヘッド固定アセンブリ２０を上記頸部の付けない瓶体１０と堅固かつ安定に接続させることができる。